(57)【要約】      （修正有）【課題】ラップケース内に収容されたラップを引き出す際に，当該ラップが芯ごとラップケースの外に飛び出すことを確実に防止することができ，かつ，通常市販されているラップ製品のラップケースに後付けで簡易に装着することが可能なラップ固定具を提供する。【解決手段】ラップ固定具５は，ラップケース６の本体６ａの端面６ｂに挿入される円柱状の挿入部材５ａと，挿入部材５ａの一端に設けられ，ラップケース６の本体６ａの端面６ｂに配置される円板状のヘッド部材５ｂと，を備えている。ここで，挿入部材５ａは，他端部先端が尖っている。挿入部材５ａの長さは約３ｃｍに設定されている。ヘッド部材５ｂの厚みは，約０．６ｍｍに設定されている。ヘッド部材５ｂは，紙と接触した際に当該紙との間で摩擦を生じさせる素材（例えば，ビニール）によって形成されている。【選択図】図５
2015189476.tif 000002
【特許請求の範囲】
【請求項１】
ラップケースの本体の端面に挿入される挿入部材と，
前記挿入部材の一端に設けられ，前記ラップケースの本体の前記端面に配置されるヘッド部材と，を備えたラップ固定具。
【請求項２】
前記挿入部材は，他端部先端が尖っている，請求項１に記載のラップ固定具。
【請求項３】
前記挿入部材は，直径が約２ｃｍ以下の円柱状に形成されている，請求項１又は２に記載のラップ固定具。
【請求項４】
前記挿入部材の直径は，約１．５ｃｍ以下である，請求項３に記載のラップ固定具。
【請求項５】
前記挿入部材は，太さが約２ｃｍ以下の多角柱状に形成されている，請求項１又は２に記載のラップ固定具。
【請求項６】
前記挿入部材の太さは，約１．５ｃｍ以下である，請求項５に記載のラップ固定具。
【請求項７】
前記挿入部材の長さは，約２〜１０ｃｍである，請求項１〜６のいずれか１項に記載のラップ固定具。
【請求項８】
前記挿入部材の長さは，約２〜５ｃｍである，請求項７に記載のラップ固定具。
【請求項９】
前記ヘッド部材の厚みは，約０．８ｍｍ以下である，請求項１〜８のいずれか１項に記載のラップ固定具。
【請求項１０】
前記ヘッド部材の厚みは，約０．６ｍｍ以下である，請求項９に記載のラップ固定具。
【請求項１１】
前記ヘッド部材は，紙と接触した際に当該紙との間で摩擦を生じさせる素材によって形成されている，請求項１〜１０のいずれか１項に記載のラップ固定具。
【発明の詳細な説明】
【技術分野】
【０００１】
本発明は，ラップ固定具に関する。さらに詳細には，本発明は，中空円筒状の固い紙（以下，「芯」という）に巻かれてラップケース内に収容されたラップを引き出す際に，当該ラップが芯ごとラップケースの外に飛び出すことを防止するために用いられるラップ固定具に関する。
【背景技術】
【０００２】
日本において，ラップは，中空円筒状の芯に巻かれ，直方体状のラップケースに収容されて販売されているのが一般的である（以下，このように市販されているラップを「ラップ製品」という）。そして，ラップ製品としては，ラップケースの本体の端面に，当該ラップケースを折り畳んで捨てるための，例えば，Ｚ字状の折り目や切り込みが入った略Ｕ字状の折り曲げ片が形成されているものもあれば，形成されていないものもあり，様々な態様で販売されている。
【０００３】
ところで，ラップ製品の態様に関わらず，ラップケース内に収容されたラップを引き出す際に，当該ラップが芯ごとラップケースの外に飛び出すことがしばしばあった。その結果，ラップが必要以上に引き出されて無駄になったり，床などに落ちてしまってラップの大部分が使えなくなったりしていた。
【０００４】
そこで，従来，芯の中空部分に，ラップケースの本体の端面の折り目や折り曲げ片が一部入り込むように工夫されたラップ製品が提案されている。すなわち，折り目や折り曲げ片を芯の中空部分に入り込ませることにより，ラップが芯ごとラップケースの外に飛び出すことを防止するように工夫されたラップ製品が提案されている（特許文献１）。
【先行技術文献】
【特許文献】
【０００５】
【特許文献１】特開２００７−００１６２５号公報
【発明の概要】
【発明が解決しようとする課題】
【０００６】
しかし，芯の中空部分に入り込んだ折り目や折り曲げ片（紙）は強度が十分とは言えないため，少しでも強くラップを引っ張ると，当該折り目や折り曲げ片（紙）が芯の中空部分から外れてしまい，ラップが芯ごとラップケースの外に飛び出すおそれがある。すなわち，特許文献１で提案されている技術は，ラップが芯ごとラップケースの外に飛び出すことを防止する手段として十分に機能しているとは言い難い。
【０００７】
上記事情を背景として，本発明では，ラップケース内に収容されたラップを引き出す際に，当該ラップが芯ごとラップケースの外に飛び出すことを確実に防止することができ，かつ，通常市販されているラップ製品のラップケースに後付けで簡易に装着することが可能なラップ固定具の開発を課題とする。
【課題を解決するための手段】
【０００８】
本発明者は，鋭意研究の結果，ラップケースの本体の端面に，折り目や折り曲げ片を通して簡単に挿入，もしくは突き刺して挿入することにより，ラップケースの本体内のラップが巻かれた芯の中空部分に入り込ませることが可能なラップ固定具を着想し，本発明を完成させるに至った。
【０００９】
本発明に係るラップ固定具は，以下の構成からなる。
(1)  ラップケースの本体の端面に挿入される挿入部材と，
前記挿入部材の一端に設けられ，前記ラップケースの本体の前記端面に配置されるヘッド部材と，を備えたことを特徴とする。
【００１０】
本発明のラップ固定具の上記(1)の構成によれば，挿入部材をラップケースの本体の端面に挿入し，ヘッド部材を前記ラップケースの本体の前記端面に配置することにより，挿入部材を，ラップケースの本体内のラップが巻かれた芯の中空部分に入り込ませることができる。従って，本発明のラップ固定具の上記(1)の構成によれば，ラップケース内に収容されたラップを引き出す際に，当該ラップが芯ごとラップケースの外に飛び出すことを確実に防止することができ，かつ，通常市販されているラップ製品のラップケースに後付けで簡易に装着することが可能なラップ固定具を提供することができる。
【００１１】
本発明のラップ固定具の上記(1)の構成においては，以下の(2)〜(11)のような構成にすることが好ましい。
【００１２】
(2)  前記挿入部材は，他端部先端が尖っている。
【００１３】
上記(2)の好ましい構成によれば，ラップケースの本体の端面に，当該ラップケースを折り畳んで捨てるための，折り目や折り曲げ片が形成されていなくても，挿入部材をラップケースの本体の端面に突き刺して挿入することができる。すなわち，上記(2)の好ましい構成によれば，ラップケースの本体の端面の折り目や折り曲げ片の有無にかかわらず，挿入部材をラップケースの本体の端面に挿入することが可能となるので，ラップ固定具としての汎用性を向上させることができる。
【００１４】
(3)  前記挿入部材は，直径が約２ｃｍ以下の円柱状に形成されている。
【００１５】
通常市販されているラップ製品のラップケースの本体の端面に形成されている折り目や折り曲げ片の大きさは，約１．５〜２ｃｍである。従って，上記(3)の好ましい構成によれば，挿入部材をラップケースの本体の端面に容易に挿入することが可能となるので，ラップ固定具の取扱性を向上させることができる。
【００１６】
(4)  上記(3)の構成において，前記挿入部材の直径は，約１．５ｃｍ以下である。
【００１７】
上記(4)の好ましい構成によれば，挿入部材をラップケースの本体の端面にさらに容易に挿入することが可能となるので，ラップ固定具の取扱性をさらに向上させることができる。
【００１８】
(5)  前記挿入部材は，太さが約２ｃｍ以下の多角柱状に形成されている。
【００１９】
上記(5)の好ましい構成によれば，挿入部材をラップケースの本体の端面に容易に挿入することが可能となるので，ラップ固定具の取扱性を向上させることができる。また，ラップケースにラップ固定具を装着しても，当該ラップ固定具がくるくる回ることはないので，装着した際の安定感を向上させることができる。
【００２０】
(6)  上記(5)の構成において，前記挿入部材の太さは，約１．５ｃｍ以下である。
【００２１】
上記(6)の好ましい構成によれば，挿入部材をラップケースの本体の端面にさらに容易に挿入することが可能となるので，ラップ固定具の取扱性をさらに向上させることができる。
【００２２】
(7)  前記挿入部材の長さは，約２〜１０ｃｍである。
【００２３】
上記(7)の好ましい構成によれば，ラップケースの本体内のラップが巻かれた芯の中空部分に入り込む挿入部材の長さを一定以上確保することが可能となるので，芯がラップケースの外に飛び出すことを効果的に防止することができる。
【００２４】
(8)  上記(7)の構成において，前記挿入部材の長さは，約２〜５ｃｍである。
【００２５】
上記(8)の好ましい構成によれば，上記(7)の構成による作用効果と同様の作用効果を奏することができるコンパクトなラップ固定具を提供することができる。
【００２６】
(9)  前記ヘッド部材の厚みは，約０．８ｍｍ以下である。
【００２７】
通常市販されているラップ製品の，ラップケースの本体の端面と蓋の端面との間には，約１ｍｍの隙間が空いている。従って，上記(9)の好ましい構成によれば，ラップケースにラップ固定具を装着した際に，ヘッド部材がラップケースの蓋の開け閉めの邪魔になることはないので，当該ラップ固定具の使用感を向上させることができる。
【００２８】
(10)  上記(9)の構成において，前記ヘッド部材の厚みは，約０．６ｍｍ以下である。
【００２９】
上記(10)の好ましい構成によれば，ラップ固定具の使用感をさらに向上させることができる。
【００３０】
(11)  前記ヘッド部材は，紙と接触した際に当該紙との間で摩擦を生じさせる素材によって形成されている。このような素材としては，例えば，ビニール等を挙げることができる。
【００３１】
上記(11)の好ましい構成によれば，ラップケースにラップ固定具を装着した際に，ヘッド部材とラップケースの本体の端面（紙）との間の摩擦力によって当該ラップ固定具がラップケースから外れにくくなるので，ラップ固定具の使い勝手を向上させることができる。
【発明の効果】
【００３２】
本発明によれば，ラップケース内に収容されたラップを引き出す際に，当該ラップが芯ごとラップケースの外に飛び出すことを確実に防止することができ，かつ，通常市販されているラップ製品のラップケースに後付けで簡易に装着することが可能なラップ固定具を提供することができる。
【図面の簡単な説明】
【００３３】
【図１】本発明の実施の形態１におけるラップ固定具の構成を示す斜視図
【図２】本発明の実施の形態１におけるラップ固定具の使用方法を示す分解斜視図
【図３】本発明の実施の形態１におけるラップ固定具の使用方法を示す断面図（ラップケースの蓋を閉じた状態）
【図４】本発明の実施の形態２におけるラップ固定具の構成を示す斜視図
【図５】本発明の実施の形態２におけるラップ固定具の使用方法を示す分解斜視図
【図６】本発明の実施の形態３におけるラップ固定具の構成を示す斜視図
【図７】本発明の実施の形態４におけるラップ固定具の構成を示す斜視図
【発明を実施するための形態】
【００３４】
以下，好適な実施の形態を用いて本発明をさらに具体的に説明する。但し，下記の実施の形態は本発明を具現化した例に過ぎず，本発明はこれに限定されるものではない。
【００３５】
［実施の形態１］
まず，本発明の実施の形態１におけるラップ固定具の構成について，図１〜図３を参照しながら説明する。
【００３６】
図１は，本発明の実施の形態１におけるラップ固定具の構成を示す斜視図，図２は，当該ラップ固定具の使用方法を示す分解斜視図，図３は，当該ラップ固定具の使用方法を示す断面図（ラップケースの蓋を閉じた状態）である。
【００３７】
図１〜図３に示すように，本実施の形態のラップ固定具１は，ラップケース２の本体２ａの端面２ｂに挿入される円柱状の挿入部材１ａと，挿入部材１ａの一端に設けられ，ラップケース２の本体２ａの端面２ｂに配置される円板状のヘッド部材１ｂと，を備えている。ここで，挿入部材１ａの一端は，ヘッド部材１ｂの中心に融着，接着，ビス留め等の手段によって固着されている。また，ラップケース２の本体２ａの端面２ｂには，通常市販されているラップ製品と同様に，当該ラップケース２を折り畳んで捨てるための，切り込みが入った略Ｕ字状の折り曲げ片２ｃが形成されており，当該折り曲げ片２ｃを通して挿入部材１ａを簡単にラップケース２の本体２ａの端面２ｂに挿入することができるようにされている。なお，図２中，２ｅはラップ３をカットするためのカッターを示している。
【００３８】
本実施の形態のラップ固定具１の構成によれば，挿入部材１ａをラップケース２の本体２ａの端面２ｂに挿入し，ヘッド部材１ｂをラップケース２の本体２ａの端面２ｂに配置することにより，挿入部材１ａを，ラップケース２の本体２ａ内のラップ３が巻かれた芯４の中空部分４ａに入り込ませることができる。従って，本実施の形態のラップ固定具１の構成によれば，ラップケース２内に収容されたラップ３を引き出す際に，当該ラップ３が芯４ごとラップケース２の外に飛び出すことを確実に防止することができ，かつ，通常市販されているラップ製品のラップケースに後付けで簡易に装着することが可能なラップ固定具を提供することができる。
【００３９】
挿入部材１ａの直径は，約２ｃｍ以下であることが好ましい。
通常市販されているラップ製品のラップケース２の本体２ａの端面２ｂに形成されている折り曲げ片２ｃの大きさは，約１．５〜２ｃｍである。従って，挿入部材１ａの直径が約２ｃｍ以下であるという好ましい構成によれば，挿入部材１ａをラップケース２の本体２ａの端面２ｂに容易に挿入することが可能となるので，ラップ固定具１の取扱性を向上させることができる。
【００４０】
さらには，挿入部材１ａの直径は，約１．５ｃｍ以下であることが好ましい。
この好ましい構成によれば，挿入部材１ａをラップケース２の本体２ａの端面２ｂにさらに容易に挿入することが可能となるので，ラップ固定具１の取扱性をさらに向上させることができる。本実施の形態においては，挿入部材１ａの直径が，約１ｃｍに設定されている。
【００４１】
挿入部材１ａの長さは，約２〜１０ｃｍであることが好ましい。
この好ましい構成によれば，ラップケース２の本体２ａ内のラップ３が巻かれた芯４の中空部分４ａに入り込む挿入部材１ａの長さを一定以上確保することが可能となるので，芯４がラップケース２の外に飛び出すことを効果的に防止することができる。
【００４２】
さらには，挿入部材１ａの長さは，約２〜５ｃｍであることが好ましい。
この好ましい構成によれば，上記と同様の作用効果を奏することができるコンパクトなラップ固定具１を提供することができる。本実施の形態においては，挿入部材１ａの長さが，約３ｃｍに設定されている。
【００４３】
ヘッド部材１ｂの厚みは，約０．８ｍｍ以下であることが好ましい。
図３に示すように，通常市販されているラップ製品の，ラップケース２の本体２ａの端面２ｂと蓋２ｄの端面２ｆとの間には，約１ｍｍの隙間が空いている。従って，ヘッド部材１ｂの厚みが約０．８ｍｍ以下であるという好ましい構成によれば，ラップケース２にラップ固定具１を装着した際に，ヘッド部材１ｂがラップケース２の蓋２ｄの開け閉めの邪魔になることはないので，当該ラップ固定具１の使用感を向上させることができる。
【００４４】
さらには，ヘッド部材１ｂの厚みは，約０．６ｍｍ以下であることが好ましい。この好ましい構成によれば，ラップ固定具１の使用感をさらに向上させることができる。本実施の形態においては，ヘッド部材１ｂの厚みが，約０．６ｍｍに設定されている。また，ヘッド部材１ｂの直径が，約３ｃｍに設定されている。
【００４５】
ヘッド部材１ｂは，紙と接触した際に当該紙との間で摩擦を生じさせる素材によって形成されていることが好ましい。
この好ましい構成によれば，ラップケース２にラップ固定具１を装着した際に，ヘッド部材１ｂとラップケース２の本体２ａの端面２ｂ（紙）との間の摩擦力によって当該ラップ固定具１がラップケース２から外れにくくなるので，ラップ固定具１の使い勝手を向上させることができる。本実施の形態においては，ヘッド部材１ｂが，ビニールによって形成されている。
【００４６】
挿入部材１ａの素材としては，例えば，木材，プラスチック，金属などの任意の素材を用いることができる。
【００４７】
なお，本実施の形態においては，ラップ固定具１のヘッド部材１ｂの形状が円板状である場合を例に挙げて説明しているが，必ずしもこのような構成に限定されるものではない。ヘッド部材は，ラップケース２の本体２ａの端面２ｂ内に収まる大きさであればよく，その形状は，例えば，矩形状，六角形状等であってもよい。
【００４８】
また，本実施の形態においては，ラップケース２の本体２ａの一方の端面２ｂのみにラップ固定具１を装着する場合を例に挙げて説明しているが，必ずしもこのような構成に限定されるものではない。ラップケース２の本体２ａの両方の端面２ｂにラップ固定具１を装着するようにしてもよい。この構成によれば，ラップケース２内に収容されたラップ３を引き出す際に，当該ラップ３が芯４ごとラップケース２の外に飛び出すことを，より確実に防止することが可能となる。
【００４９】
また，本実施の形態においては，ラップケース２の本体２ａの端面２ｂに，当該ラップケース２を折り畳んで捨てるための，略Ｕ字状の折り曲げ片２ｃが形成されている場合を例に挙げて説明しているが，本実施の形態のラップ固定具１は，必ずしもこのような構成のラップ製品のみに使用されるものではない。例えば，ラップケースの本体の端面に，当該ラップケースを折り畳んで捨てるための，Ｚ字状の折り目が形成されているラップ製品にも本実施の形態のラップ固定具１を使用することができる。この場合にも，当該折り目を通して挿入部材１ａを簡単にラップケースの本体の端面に挿入することができる。
【００５０】
［実施の形態２］
次に，本発明の実施の形態２におけるラップ固定具の構成について，図４，図５を参照しながら説明する。
【００５１】
図４は，本発明の実施の形態２におけるラップ固定具の構成を示す斜視図，図５は，当該ラップ固定具の使用方法を示す分解斜視図である。
【００５２】
図４，図５に示すように，本実施の形態のラップ固定具５は，ラップケース６の本体６ａの端面６ｂに挿入される円柱状の挿入部材５ａと，挿入部材５ａの一端に設けられ，ラップケース６の本体６ａの端面６ｂに配置される円板状のヘッド部材５ｂと，を備えている。ここで，挿入部材５ａの一端は，ヘッド部材５ｂの中心に融着，接着，ビス留め等の手段によって固着されている。また，挿入部材５ａは，他端部先端が尖っており，ラップケース６の本体６ａの端面６ｂに，当該ラップケース６を折り畳んで捨てるための，折り目や折り曲げ片が形成されていなくても，挿入部材５ａをラップケース６の本体６ａの端面６ｂに突き刺して挿入することができるようにされている。なお，図５中，６ｄはラップ３をカットするためのカッターを示している。
【００５３】
本実施の形態のラップ固定具５の構成によれば，挿入部材５ａをラップケース６の本体６ａの端面６ｂに挿入し，ヘッド部材５ｂをラップケース６の本体６ａの端面６ｂに配置することにより，挿入部材５ａを，ラップケース６の本体６ａ内のラップ３が巻かれた芯４の中空部分４ａに入り込ませることができる。従って，本実施の形態のラップ固定具５の構成によれば，ラップケース６内に収容されたラップ３を引き出す際に，当該ラップ３が芯４ごとラップケース６の外に飛び出すことを確実に防止することができ，かつ，通常市販されているラップ製品のラップケースに後付けで簡易に装着することが可能なラップ固定具を提供することができる。
【００５４】
また，本実施の形態のラップ固定具５の構成によれば，挿入部材５ａの他端部先端が尖っているために，ラップケースの本体の端面の折り目や折り曲げ片の有無にかかわらず，挿入部材５ａをラップケースの本体の端面に挿入することが可能となるので，ラップ固定具としての汎用性を向上させることができる。
【００５５】
挿入部材５ａの長さは，約２〜１０ｃｍであることが好ましい。
この好ましい構成によれば，ラップケース６の本体６ａ内のラップ３が巻かれた芯４の中空部分４ａに入り込む挿入部材５ａの長さを一定以上確保することが可能となるので，芯４がラップケース６の外に飛び出すことを効果的に防止することができる。
【００５６】
さらには，挿入部材５ａの長さは，約２〜５ｃｍであることが好ましい。
この好ましい構成によれば，上記と同様の作用効果を奏することができるコンパクトなラップ固定具５を提供することができる。本実施の形態においては，挿入部材５ａの長さが，約３ｃｍに設定されている。
【００５７】
ヘッド部材５ｂの厚みは，約０．８ｍｍ以下であることが好ましい。
通常市販されているラップ製品の，ラップケース６の本体６ａの端面６ｂと蓋６ｃの端面６ｅとの間には，約１ｍｍの隙間が空いている（図３参照）。従って，ヘッド部材５ｂの厚みが約０．８ｍｍ以下であるという好ましい構成によれば，ラップケース６にラップ固定具５を装着した際に，ヘッド部材５ｂがラップケース６の蓋６ｃの開け閉めの邪魔になることはないので，当該ラップ固定具５の使用感を向上させることができる。
【００５８】
さらには，ヘッド部材５ｂの厚みは，約０．６ｍｍ以下であることが好ましい。この好ましい構成によれば，ラップ固定具５の使用感をさらに向上させることができる。本実施の形態においては，ヘッド部材５ｂの厚みが，約０．６ｍｍに設定されている。また，ヘッド部材５ｂの直径が，約３ｃｍに設定されている。
【００５９】
ヘッド部材５ｂは，紙と接触した際に当該紙との間で摩擦を生じさせる素材によって形成されていることが好ましい。
この好ましい構成によれば，ラップケース６にラップ固定具５を装着した際に，ヘッド部材５ｂとラップケース６の本体６ａの端面６ｂ（紙）との間の摩擦力によって当該ラップ固定具５がラップケース６から外れにくくなるので，ラップ固定具５の使い勝手を向上させることができる。本実施の形態においては，ヘッド部材５ｂが，ビニールによって形成されている。
【００６０】
挿入部材５ａの素材としては，例えば，木材，プラスチック，金属などの任意の素材を用いることができる。
【００６１】
なお，本実施の形態においては，ラップ固定具５のヘッド部材５ｂの形状が円板状である場合を例に挙げて説明しているが，必ずしもこのような構成に限定されるものではない。ヘッド部材は，ラップケース６の本体６ａの端面６ｂ内に収まる大きさであればよく，その形状は，例えば，矩形状，六角形状等であってもよい。
【００６２】
また，本実施の形態においては，ラップケース６の本体６ａの一方の端面６ｂのみにラップ固定具５を装着する場合を例に挙げて説明しているが，必ずしもこのような構成に限定されるものではない。ラップケース６の本体６ａの両方の端面６ｂにラップ固定具５を装着するようにしてもよい。この構成によれば，ラップケース６内に収容されたラップ３を引き出す際に，当該ラップ３が芯４ごとラップケース６の外に飛び出すことを，より確実に防止することが可能となる。
【００６３】
また，本実施の形態においては，ラップケース６の本体６ａの端面６ｂに，当該ラップケース６を折り畳んで捨てるための，折り目や折り曲げ片が形成されていない場合を例に挙げて説明しているが，本実施の形態のラップ固定具５は，必ずしもこのような構成のラップ製品のみに使用されるものではない。例えば，ラップケースの本体の端面に，当該ラップケースを折り畳んで捨てるための，折り目や折り曲げ片が形成されているラップ製品にも本実施の形態のラップ固定具５を使用することができる。
【００６４】
［実施の形態３］
次に，本発明の実施の形態３におけるラップ固定具の構成について，図６を参照しながら説明する。
【００６５】
図６は，本発明の実施の形態３におけるラップ固定具の構成を示す斜視図である。
【００６６】
図６に示すように，本実施の形態のラップ固定具７は，ラップケースの本体の端面に挿入される四角柱状の挿入部材７ａと，挿入部材７ａの一端に設けられ，ラップケースの本体の端面に配置される円板状のヘッド部材７ｂと，を備えている。ここで，挿入部材７ａの一端は，ヘッド部材７ｂの中心に融着，接着，ビス留め等の手段によって固着されている。また，ラップ固定具７が装着されるラップ製品は，ラップケースの本体の端面に，当該ラップケースを折り畳んで捨てるための，折り目や折り曲げ片が形成されており，当該折り目や折り曲げ片を通して挿入部材７ａを簡単にラップケースの本体の端面に挿入することができるようにされている。
【００６７】
本実施の形態のラップ固定具７の構成によれば，挿入部材７ａをラップケースの本体の端面に挿入し，ヘッド部材７ｂをラップケースの本体の端面に配置することにより，挿入部材７ａを，ラップケースの本体内のラップが巻かれた芯の中空部分に入り込ませることができる。従って，本実施の形態のラップ固定具７の構成によれば，ラップケース内に収容されたラップを引き出す際に，当該ラップが芯ごとラップケースの外に飛び出すことを確実に防止することができ，かつ，通常市販されているラップ製品のラップケースに後付けで簡易に装着することが可能なラップ固定具を提供することができる。
【００６８】
また，本実施の形態のラップ固定具７の構成によれば，挿入部材７ａが四角柱状に形成されているために，ラップケースにラップ固定具７を装着しても，当該ラップ固定具７がくるくる回ることはないので，装着した際の安定感を向上させることができる。
【００６９】
挿入部材７ａの太さは，約２ｃｍ以下であることが好ましい。
通常市販されているラップ製品のラップケースの本体の端面に形成されている折り目や折り曲げ片の大きさは，約１．５〜２ｃｍである。従って，挿入部材７ａの太さが約２ｃｍ以下であるという好ましい構成によれば，挿入部材７ａをラップケースの本体の端面に容易に挿入することが可能となるので，ラップ固定具７の取扱性を向上させることができる。
【００７０】
さらには，挿入部材７ａの太さは，約１．５ｃｍ以下であることが好ましい。
この好ましい構成によれば，挿入部材７ａをラップケースの本体の端面にさらに容易に挿入することが可能となるので，ラップ固定具７の取扱性をさらに向上させることができる。本実施の形態においては，挿入部材７ａの太さが，約１ｃｍに設定されている。
【００７１】
挿入部材７ａの素材，長さ等，ヘッド部材７ｂの素材，厚み等の他の構成は上記実施の形態１の場合と同様である。
【００７２】
なお，本実施の形態においては，四角柱状の挿入部材７ａを備える場合を例に挙げて説明しているが，必ずしもこのような構成に限定されるものではない。挿入部材は，多角柱状に形成されていれば，例えば，五角柱状，六角柱状等，いかなる形状であってもよい。
【００７３】
［実施の形態４］
次に，本発明の実施の形態４におけるラップ固定具の構成について，図７を参照しながら説明する。
【００７４】
図７は，本発明の実施の形態４におけるラップ固定具の構成を示す斜視図である。
【００７５】
図７に示すように，本実施の形態のラップ固定具８は，ラップケースの本体の端面に挿入される四角柱状の挿入部材８ａと，挿入部材８ａの一端に設けられ，ラップケースの本体の端面に配置される円板状のヘッド部材８ｂと，を備えている。ここで，挿入部材８ａの一端は，ヘッド部材８ｂの中心に融着，接着，ビス留め等の手段によって固着されている。さらに，挿入部材８ａは，他端部先端が尖っており，ラップケースの本体の端面に，当該ラップケースを折り畳んで捨てるための，折り目や折り曲げ片が形成されていなくても，挿入部材８ａをラップケースの本体の端面に突き刺して挿入することができるようにされている。
【００７６】
本実施の形態のラップ固定具８の構成によれば，挿入部材８ａをラップケースの本体の端面に挿入し，ヘッド部材８ｂをラップケースの本体の端面に配置することにより，挿入部材８ａを，ラップケースの本体内のラップが巻かれた芯の中空部分に入り込ませることができる。従って，本実施の形態のラップ固定具８の構成によれば，ラップケース内に収容されたラップを引き出す際に，当該ラップが芯ごとラップケースの外に飛び出すことを確実に防止することができ，かつ，通常市販されているラップ製品のラップケースに後付けで簡易に装着することが可能なラップ固定具を提供することができる。
【００７７】
また，本実施の形態のラップ固定具８の構成によれば，挿入部材８ａの他端部先端が尖っているために，ラップケースの本体の端面の折り目や折り曲げ片の有無にかかわらず，挿入部材８ａをラップケースの本体の端面に挿入することが可能となるので，ラップ固定具としての汎用性を向上させることができる。
【００７８】
さらに，本実施の形態のラップ固定具８の構成によれば，挿入部材８ａが四角柱状に形成されているために，ラップケースにラップ固定具８を装着しても，当該ラップ固定具８がくるくる回ることはないので，装着した際の安定感を向上させることができる。
【００７９】
挿入部材８ａの太さは，約２ｃｍ以下であることが好ましい。
通常市販されているラップ製品のラップケースの本体の端面に形成されている折り目や折り曲げ片の大きさは，約１．５〜２ｃｍである。従って，挿入部材８ａの太さが約２ｃｍ以下であるという好ましい構成によれば，挿入部材８ａをラップケースの本体の端面に容易に挿入することが可能となるので，ラップ固定具７の取扱性を向上させることができる。
【００８０】
さらには，挿入部材８ａの太さは，約１．５ｃｍ以下であることが好ましい。
この好ましい構成によれば，挿入部材８ａをラップケースの本体の端面にさらに容易に挿入することが可能となるので，ラップ固定具８の取扱性をさらに向上させることができる。本実施の形態においては，挿入部材８ａの太さが，約１ｃｍに設定されている。
【００８１】
挿入部材８ａの素材，長さ等，ヘッド部材７ｂの素材，厚み等の他の構成は上記実施の形態２の場合と同様である。
【００８２】
なお，本実施の形態においては，四角柱状の挿入部材８ａを備える場合を例に挙げて説明しているが，必ずしもこのような構成に限定されるものではない。挿入部材は，多角柱状に形成されていれば，例えば，五角柱状，六角柱状等，いかなる形状であってもよい。
【産業上の利用可能性】
【００８３】
本発明によれば，ラップケース内に収容されたラップを引き出す際に，当該ラップが芯ごとラップケースの外に飛び出すことを確実に防止することができ，かつ，通常市販されているラップ製品のラップケースに後付けで簡易に装着することが可能なラップ固定具を提供することができる。従って，本発明のラップ固定具は，これまでのラップ製品に何らの変更も加えることなく，ラップが芯ごとラップケースの外に飛び出すことを確実に防止できる点において有用である。
【符号の説明】
【００８４】
１，５，７，８  ラップ固定具
１ａ，５ａ，７ａ，８ａ  挿入部材
１ｂ，５ｂ，７ｂ，８ｂ  ヘッド部材
２，６  ラップケース
２ａ，６ａ  ラップケースの本体
２ｂ，６ｂ  ラップケースの本体の端面
【図１】
2015189476.tif 000003
【図２】
2015189476.tif 000004
【図３】
2015189476.tif 000005
【図４】
2015189476.tif 000006
【図５】
2015189476.tif 000007
【図６】
2015189476.tif 000008
【図７】
2015189476.tif 000009